(57)【要約】【課題】架空線への取付けを確実に行うことができ、しかも製造コストの安い架空線用鳥害防止具を提供する。【解決手段】突起部パーツ３と、この突起部パーツ３を架空線７に固定する締付けリング５との２部品からなる。突起部パーツ３は、架空線７に鳥が止まるのを妨げる突起部９と、架空線７の外周に装着される円弧部１１とを一体に形成したものからなり、全体が弾性を有するゴムで出来ている。締付けリング５は、突起部パーツ３の円弧部１１を外周から締め付けて圧縮した状態で架空線７に固定するものからなる。【選択図】図１
2009219251.tif 000002
【特許請求の範囲】
【請求項１】
架空線に鳥が止まるのを妨げる突起部を有する突起部パーツと、この突起部パーツを架空線に固定する締付けリングとからなることを特徴とする架空線用鳥害防止具。
【請求項２】
前記突起部パーツは、前記突起部と、架空線の外周に装着される円弧部とを一体に形成したものからなり、前記締付けリングは、前記突起部パーツの円弧部を外周から締め付けて架空線に固定するものからなることを特徴とする請求項１記載の架空線用鳥害防止具。
【請求項３】
前記締付けリングは、架空線を締め付ける内周面の一部に凹部を形成したものからなり、前記突起部パーツは、前記突起部と、前記凹部に嵌め込まれて締付けリングと架空線の間に挟まれる被挟持部とを一体に形成したものからなることを特徴とする請求項１記載の架空線用鳥害防止具。
【請求項４】
前記突起部パーツは、弾性を有するゴムで形成されていることを特徴とする請求項１ないし３のいずれかに記載の架空線用鳥害防止具。
【請求項５】
前記突起部パーツの突起部には剛性付与部材が埋め込まれ又は挿入されていることを特徴とする請求項４記載の架空線用鳥害防止具。
【請求項６】
前記突起部パーツ及び締付けリングの少なくとも一方に蓄光剤を含有させてあることを特徴とする請求項１ないし５のいずれかに記載の架空線用鳥害防止具。
【発明の詳細な説明】
【技術分野】
【０００１】
本発明は、送電線や配電線などの架空線に鳥が止まることによる被害（糞落下、鳴き声等）を軽減するための架空線用鳥害防止具に関するものである。
【背景技術】
【０００２】
架空線に鳥が止まり、線下に糞を落として、線下にあるものが汚される被害は深刻である。また、ムクドリなどが大きな群れをなして架空線に止まると、鳴き声による騒音の被害も大きい。このため従来から、架空線に鳥が止まるのを妨げる鳥害防止具が用いられている。
【０００３】
従来の鳥害防止具は、架空線に締付け固定されるリングに突起を一体に形成した突起付きリングの形態のものが一般的である（例えば特許文献１参照）。この突起付きリングを架空線に適当な間隔で取り付けておくと、鳥が架空線に止まろうとしても突起に邪魔されて止まることが出来なくなると共に、仮に鳥が突起付きリングの間に無理に止まったとしても突起にぶつかるので、架空線に止まるのを嫌うようになる、というものである。
【０００４】
【特許文献１】実開平３−７４１２７号公報
【発明の開示】
【発明が解決しようとする課題】
【０００５】
しかし、従来の突起付きリングの形態の鳥害防止具は、突起とリングを一体成型したものであるため、リング部分の剛性が突起の存在ゆえに大きくなる。その結果、架空線に取り付けようとしたときに、リングの変形が不十分となり、架空線の外周面の曲率にうまく適合せず、両端の雄型係止部と雌型係止部との噛み合いが不足して、架空線に取り付けられなくなるものが発生するという問題があった。
【０００６】
さらに、突起付きリングは射出成型で製造されるため、架空線の直径に応じて金型を使い分ける必要がある。例えば送電線の場合、その直径の種類に応じた突起付きリングを製造するためには、約５０種類もの金型を用意しなければならず、そのコストは膨大であった。
【０００７】
本発明の目的は、架空線への取付けを確実に行うことができ、しかも製造コストの安い架空線用鳥害防止具を提供することにある。
【課題を解決するための手段】
【０００８】
本発明に係る架空線用鳥害防止具は、架空線に鳥が止まるのを妨げる突起部を有する突起部パーツと、この突起部パーツを架空線に固定する締付けリングとからなることを特徴とするものである。
【０００９】
本発明に係る架空線用鳥害防止具において、前記突起部パーツは、前記突起部と、架空線の外周に装着される円弧部とを一体に形成したものからなり、前記締付けリングは、前記突起部パーツの円弧部を外周から締め付けて架空線に固定するものからなることが好ましい。
【００１０】
本発明に係る架空線用鳥害防止具において、前記締付けリングは、架空線を締め付ける内周面の一部に凹部を形成したものからなり、前記突起部パーツは、前記突起部と、前記凹部に嵌め込まれて締付けリングと架空線の間に挟まれる被挟持部とを一体に形成したものからなるものであってもよい。
【００１１】
本発明に係る架空線用鳥害防止具において、前記突起部パーツは、弾性を有するゴムで形成されていることが好ましい。
【００１２】
本発明に係る架空線用鳥害防止具において、前記突起部パーツの突起部には剛性付与部材が埋め込まれ又は挿入されていることが好ましい。
【００１３】
本発明に係る架空線用鳥害防止具において、前記突起部パーツ及び締付けリングの少なくとも一方には蓄光剤を含有させてあることが好ましい。
【発明の効果】
【００１４】
本発明に係る架空線用鳥害防止具は、突起部を有する突起部パーツと、これを架空線に固定する締付けリングとから構成されているため、締付けリングは、締付け機能だけ発揮できればよく、剛性が特に大きくなる部分を設ける必要もないので、取付け時に所要の弾性変形を生じさせることが可能であり、その締付け力により突起部パーツを架空線に確実に固定することができる。
【００１５】
また、締付けリングで突起部パーツの円弧部を外周から締め付ける構成にした場合、締付けリングは、従来の難着雪リングと同じ構成でよく、難着雪リングと同じ金型で製造できるため、製造コストを安くできる。
【００１６】
また、締付けリングの内周面の一部に凹部を形成し、その凹部に、突起部パーツの被挟持部を嵌め込む構成にした場合は、突起部パーツを締付けリングに組み付けた状態で架空線への取付けが行えるので、架空線への取付け作業を簡単に効率よく行うことができる。
【００１７】
また、突起部パーツを弾性を有するゴムで形成すれば、架空線に取り付ける際に、締付けリングで突起部パーツの一部を圧縮した状態で締付け固定できるので、より確実に突起部パーツを架空線に固定することができる。さらに、突起部パーツの一部を圧縮して固定できれば、ほぼ圧縮代の分だけ適用できる架空線の外径の範囲が広がるので、突起部パーツ及び締付けリングのサイズの種類を少なくでき、製造コストを安くできる。
【００１８】
また、突起部パーツを弾性を有するゴムで形成した場合は、突起部に剛性付与部材を埋め込むか、挿入しておけば、突起部の剛性が確保され、鳥が止まり難くする機能を確保することができる。
【００１９】
また、突起部パーツ及び締付けリングの少なくとも一方に蓄光剤を含有させておけば、夕方から夜間にかけて、鳥やヘリコプター操縦者等による架空線の視認性が高まるので、架空線との接触事故を低減することができる。
【発明を実施するための最良の形態】
【００２０】
＜実施形態１＞  図１〜図３は本発明の一実施形態を示す。この架空線用鳥害防止具１は、図１（Ａ）に示すような突起部パーツ３と締付けリング５とから構成され、突起部パーツ３を同図（Ｂ）、（Ｃ）のように架空線７に装着した後、締付けリング５で締め付けることにより、架空線７に取り付けられる。
【００２１】
突起部パーツ３は、図２に示すように、架空線に鳥が止まるのを妨げる突起部９と、架空線の外周に装着される優弧形の円弧部１１とを一体に形成したものである。突起部９は円弧部１１の周方向中間部の正面側及び背面側から上方へ突出するように形成され、先端へ行くほど細くなっている。円弧部１１の外周面には、締付けリング５が嵌め込まれる溝１３が形成されている。突起部パーツ３は全体が弾性を有するゴムで形成されている。突起部パーツ３を形成するゴム材料としては、耐候性が実証されているシリコーンゴム、エチレンプロピレンゴム（ＥＰＤＭ）などを使用することが好ましい。突起部パーツ３をこのようなゴムで形成しておくと、円弧部１１を変形させて架空線の外周に容易に装着することができると共に、架空線の外径の変化にも柔軟に対応できるため、外径の異なる架空線に共通に使用可能となり、突起部パーツ３のサイズの種類を少なくでき、コスト安である。
【００２２】
一方、締付けリング５は、図３に示すように、ヒンジ部１５により開閉可能に連結された一対の半円部１７を、各々の開放端側に形成された雄型係止部１９と雌型係止部２１を嵌合させることで、送電線外周に取り付けられるようになっている。この締付けリング５は、従来の難着雪リングと同じ構成であり（材料も同じ）、殆んどのサイズは難着雪リングと同じ金型で製造することができ、コスト安である。前述した突起部パーツ３の円弧部１１の外周面の溝１３は、その幅Ｐが、締付けリング５の幅Ｑと実質的に同じになるように形成されている。また、締付けリング５は、各種サイズの難着雪リングの中から、図３（Ｂ）のように両端を閉じたときの内径が、架空線７に装着された突起部パーツ３の円弧部１１の溝底の外径よりも若干小さめのものを選択して使用することができる。このようにすると、締付けリング５が突起部パーツ３の円弧部１１を若干圧縮して締め付ける状態となるので、鳥害防止具１をしっかりと架空線７に固定することができる。
【００２３】
この鳥害防止具１を、図１（Ｂ）、（Ｃ）のように架空線７に所要の間隔で多数取り付けておけば、鳥は架空線７に止まろうとしても突起部９に邪魔されて止まれなくなるので、鳥害を防止できる。
【００２４】
なお、突起部パーツ３と締付けリング５のいずれか一方又は双方に蓄光剤を含有させておけば、夕方から夜間にかけての暗いときに発光するので、鳥やヘリコプター操縦者等に架空線の存在を視認させることができ、架空線との接触事故を低減することができる。
【００２５】
＜実施形態２＞  図４は本発明の他の実施形態を示す。図４では突起部パーツ３のみを示すが、締付けリングは実施形態１と同じである。この突起部パーツ３は、突起部９内に棒状の剛性付与部材２３を埋め込んだものである。剛性付与部材２３としては、金属線やＲＲＰロッド等を使用することができる。突起部パーツ３を弾性を有するゴムで形成すると、突起部９が変形しやすくなり、鳥が止まり難くする効果が低下するおそれがあるが、このように突起部９に剛性付与部材２３を埋め込んでおけば、突起部９の変形を防止できるので、鳥が止まり難くする効果を高めることができる。
【００２６】
＜実施形態３＞  図５は本発明のさらに他の実施形態を示す。図５も突起部パーツ３のみを示すが、締付けリングは実施形態１と同じである。この突起部パーツ３が実施形態２のものと異なる点は、剛性付与部材２３の先端を突起部９の先端から突出させたことである。このようにすると、硬い剛性付与部材２３の先端が鳥に当たるようになるので、鳥が止まり難くする効果をより高めることができる。それ以外の構成は実施形態２と同じである。
【００２７】
＜実施形態４＞  図６は本発明のさらに他の実施形態を示す。この鳥害防止具１で使用する締付けリング５は、一方の半円部１７の周方向中間部にΠ形部２５を形成することにより、半円部１７の内周面の一部に凹部２７を形成したものである。それ以外の構成は実施形態１で用いた締付けリング５と同じである。一方、突起部パーツ３は、前記凹部２７に嵌め込まれる被挟持部２９の両端に突起部９を一体に形成したものである。突起部パーツ３の材質等は実施形態１と同じである。
【００２８】
この鳥害防止具１は、突起部パーツ３の被挟持部２９を締付けリング５の凹部２７に嵌め込むことにより、図６（Ａ）、（Ｂ）のように組み立てられ、この状態で、同図（Ｃ）のように架空線７に取り付けられる。締付けリング５は、両端の雄型係止部１９と雌型係止部２１を嵌合させることにより架空線７を直に締め付けることができるサイズとなっている。
【００２９】
このように、この実施形態の鳥害防止具１は、突起部パーツ３を締付けリング５に組み付けた状態で、架空線７に取り付けることができるので、架空線７への取付け作業を簡単に行うことができる。この実施形態の場合、締付けリング５は半円部１７の一部にΠ形部２５を形成したものとなるが、Π形部２５の剛性は半円部１７と同程度であるので、架空線７を締め付ける際に架空線７の外周面に適合するのに必要な弾性変形性能は、Π形部２５のない締付けリングと実質的に同じにできる。したがって、架空線７に確実に取り付けることができる。
【００３０】
なお、突起部パーツ３の被挟持部２９の厚さは、締付けリング５の凹部２７の深さより若干大きくして、架空線に取り付ける前の状態では、図６（Ａ）に示すように、被挟持部２９の一部が半円部１７の内周面よりも内側に出っ張るようにしておくことが好ましい。このようにすると、鳥害防止具１を図６（Ｃ）のように架空線７に取り付けたときに、Π形部２５が被挟持部２９を架空線７に押し付けて圧縮する状態となるので、鳥害防止具１を架空線７にしっかりと固定することができる。
【図面の簡単な説明】
【００３１】
【図１】（Ａ）は本発明に係る架空線用鳥害防止具の一実施形態を示す一部切開正面図、（Ｂ）及び（Ｃ）は（Ａ）の鳥害防止具を架空線に取り付けた状態を示す正面図及び側面図。
【図２】図１の鳥害防止具の突起部パーツを示す、（Ａ）は平面図、（Ｂ）は正面図、（Ｃ）は底面図、（Ｄ）は側面図。
【図３】図１の鳥害防止具の締付けリングを示す、（Ａ）は両端を開いた状態の一部切開正面図、（Ｂ）は両端を閉じた状態の正面図、（Ｃ）は同側面図、（Ｄ）は（Ｂ）のＤ−Ｄ線断面図。
【図４】本発明に係る鳥害防止具の突起部パーツの他の実施形態を示す、（Ａ）は正面図、（Ｂ）は側面図。
【図５】本発明に係る鳥害防止具の突起部パーツのさらに他の実施形態を示す、（Ａ）は正面図、（Ｂ）は側面図。
【図６】（Ａ）は本発明に係る鳥害防止具のさらに他の実施形態を示す一部切開正面図、（Ｂ）は同側面図、（Ｃ）は（Ａ）の鳥害防止具を架空線に取り付けた状態を示す正面図。
【符号の説明】
【００３２】
１：架空線用鳥害防止具、３：突起部パーツ、５：締付けリング、７：架空線、
９：突起部、１１：半円部、１３：溝、１５：ヒンジ部、１７：半円部、
１９：雄型係止部、２１：雌型係止部、２３：剛性付与部材、２５：Π形部、
２７：凹部、２９：被挟持部。
【図１】
2009219251.tif 000003
【図２】
2009219251.tif 000004
【図３】
2009219251.tif 000005
【図４】
2009219251.tif 000006
【図５】
2009219251.tif 000007
【図６】
2009219251.tif 000008